(57)【特許請求の範囲】
【請求項１】
伝送レーン数に応じた所定のパラレルデータの生成及び受信を行うデータ処理部（２１）と、
基準クロック信号に従って、前記データ処理部からの前記パラレルデータを多重化したシリアルデータを送信するとともに、受信したシリアルデータを前記伝送レーン数に分離したパラレルデータにして出力するデータ送受信部（２２）と、
前記基準クロック信号を所定の分周比で分周した分周クロック信号をＩ／Ｑ変調して所定の位相角に角度調整し出力するＩＱ変調部（１２）と、
前記伝送レーンのレーン数に対応して複数設けられ、前記ＩＱ変調部から出力された角度調整後の分周クロック信号に基づき前記データ処理部が入出力する前記パラレルデータのスキュー合わせを行う遅延回路部（１４）と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部（１８）と、
を備えたデータ通信装置において、
装置内部で検出した温度情報を装置内温度Ｔとして出力する温度検出部（１５）を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とするデータ通信装置。
【請求項２】
伝送レーン数に応じた所定のパラレルデータを生成して出力するデータ発生部（１６）と、
前記各伝送レーンを介して入力した前記データ発生部からの前記パラレルデータを多重化したシリアルデータを、基準クロック信号に従って送信するデータ多重化部（１７）と、
前記基準クロック信号を所定の分周比で分周した分周クロック信号をＩ／Ｑ変調して所定の位相角に角度調整し出力するＩＱ変調部（１２）と、
前記伝送レーンのレーン数に対応して複数設けられ、前記ＩＱ変調部から出力された角度調整後の分周クロック信号に基づき前記データ発生部から出力される前記パラレルデータのスキュー合わせを行う遅延回路部（１４）と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部（１８）と、
を備えたデータ通信装置において、
装置内部で検出した温度情報を装置内温度Ｔとして出力する温度検出部（１５）を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とするデータ通信装置。
【請求項３】
受信したシリアルデータを伝送レーン数に分離したパラレルデータを基準クロック信号に従って出力するデータ分離部（１９）と、
前記データ分離部からの前記パラレルデータを前記伝送レーンを介して入力するデータ受信部（２０）と、
前記基準クロック信号を所定の分周比で分周した分周クロック信号をＩ／Ｑ変調して所定の位相角に角度調整し出力するＩＱ変調部（１２）と、
前記伝送レーンのレーン数に対応して複数設けられ、前記ＩＱ変調部から出力された角度調整後の分周クロック信号に基づき前記データ受信部が入力する前記パラレルデータのスキュー合わせを行う遅延回路部（１４）と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部（１８）と、
を備えたデータ通信装置において、
装置内部で検出した温度情報を装置内温度Ｔとして出力する温度検出部（１５）を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とするデータ通信装置。
【請求項４】
伝送レーン数に応じた所定のパラレルデータの生成及び受信を行うステップと、
基準クロック信号に従って、前記パラレルデータを多重化したシリアルデータを送信するとともに、受信したシリアルデータを前記伝送レーン数に分離したパラレルデータにして出力するステップと、
前記基準クロック信号を所定の分周比で分周した分周クロック信号をＩ／Ｑ変調して所定の位相角に角度調整し出力するステップと、
角度調整後の前記分周クロック信号を用いて、前記多重化される前記パラレルデータの入力時及び前記シリアルデータを分離した前記パラレルデータの出力時のスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とするデータ通信方法。
【請求項５】
伝送レーン数に応じた所定のパラレルデータの生成して出力するステップと、
前記伝送レーンを介して入力した前記パラレルデータを多重化したシリアルデータを、基準クロック信号に従って送信するステップと、
前記基準クロック信号を所定の分周比で分周した分周クロック信号をＩ／Ｑ変調して所定の位相角に角度調整し出力するステップと、
角度調整後の前記分周クロック信号を用いて、前記多重化される前記パラレルデータのスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とするデータ通信方法。
【請求項６】
受信したシリアルデータを伝送レーン数に分離したパラレルデータを基準クロック信号に従って出力するステップと、
前記パラレルデータを前記伝送レーンを介して入力するステップと、
前記基準クロック信号を所定の分周比で分周した分周クロック信号をＩ／Ｑ変調して所定の位相角に角度調整し出力するステップと、
角度調整後の前記分周クロック信号を用いて、前記入力する前記パラレルデータのスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とするデータ通信方法。
【発明の詳細な説明】
【技術分野】
【０００１】
本発明は、例えば被試験デバイスを介して入力される被測定信号のビット誤り率測定を行う誤り率測定装置に搭載され、装置内温度の変化によって遅延ずれが生じたパラレル入力されるデータ又はパラレル出力されるデータのスキュー合わせを行うデータ通信装置及び方法に関するものである。
【背景技術】
【０００２】
近年、各種のディジタル通信装置は、利用者数の増加やマルチメディア通信の普及に伴い、より大容量の伝送能力が求められている。そして、これらのディジタル通信装置におけるディジタル信号の品質評価の指標として、受信データのうち符号誤りが発生した数と受信データの総数との比較として定義されるビット誤り率（Bit Error Rate）が知られている。
【０００３】
また、試験対象となる光変換部品等の被試験デバイス（Device Under Test ：ＤＵＴ）に対して固定データを含むテスト信号を送信し、被試験デバイスを介して入力される被測定信号と基準となる参照信号とをビット単位で比較して、被測定信号の誤り率を検出する装置として、例えば下記特許文献１に開示されるような装置が公知である。
【先行技術文献】
【特許文献】
【０００４】
【特許文献１】特開２００７−２７４４７４号公報
【発明の概要】
【発明が解決しようとする課題】
【０００５】
ところで、この種の誤り率測定装置では、近年の高速データ通信に対応した被試験デバイスに対して所定パターンの基準データの信号を送信するためのパルスパターン発生器は、例えば図３に示すような構成を有している。
【０００６】
図３に示すように、パルスパターン発生器５０は、外部又は内部で生成された基準クロック信号と、分周部５１で基準クロック信号を１／Ｎ分周（Ｎは自然数）した分周クロック信号とを位相比較部５２で比較し、その位相差に応じてＩＱ変調部５３の遅延量を制御部５５の制御により調整する。また、遅延回路部５４は、データ発生部５６からデータ多重化部５７に入力される所定パターンのパラレルデータのスキューを合わせるためにＩＱ変調部５３からの分周クロック信号の遅延量を制御部５５の制御により調整している。そして、データ多重化部５７では、スキュー合わせされたデータ発生部５６からのパラレルデータを多重化した試験用のシリアルデータを被試験デバイスに出力している。
【０００７】
しかしながら、この種の遅延回路部５４は、遅延素子を多段に接続した構成であるため、その駆動能力は装置内温度や周囲温度等の環境温度の変化に伴って遅延量が変化する温度依存性を有する。従って、装置内温度が変化することで遅延量に誤差が生じ、この遅延ずれによってデータ多重化部に入力する各パラレルデータのスキューがずれることで正常にデータの多重化ができず動作が不安定になるという問題があった。
【０００８】
また、この種の遅延回路部５４は、遅延量によっても温度変化量が異なるため、この回路自体の温度補正をする場合に考慮する温度パラメータを遅延量毎に定義する必要があり、補正処理が非常に困難でなる。
【０００９】
そこで、本発明は上記問題点に鑑みてなされたものであり、煩雑な補正処理を行わずして環境温度により生じた遅延量を調整して安定したデータの送受信を行うことのできるデータ通信装置及び方法を提供することを目的とするものである。
【課題を解決するための手段】
【００１０】
上記した目的を達成するために、請求項１記載のデータ通信装置は、伝送レーン数に応じた所定のパラレルデータの生成及び受信を行うデータ処理部２１と、
基準クロック信号に従って、前記データ処理部からの前記パラレルデータを多重化したシリアルデータを送信するとともに、受信したシリアルデータを前記伝送レーン数に分離したパラレルデータにして出力するデータ送受信部２２と、
前記基準クロック信号を所定の分周比で分周した分周クロック信号をＩ／Ｑ変調して所定の位相角に角度調整し出力するＩＱ変調部１２と、
前記伝送レーンのレーン数に対応して複数設けられ、前記ＩＱ変調部から出力された角度調整後の分周クロック信号に基づき前記データ処理部が入出力する前記パラレルデータのスキュー合わせを行う遅延回路部１４と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部１８と、
を備えたデータ通信装置において、
装置内部で検出した温度情報を装置内温度Ｔとして出力する温度検出部１５を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とする。
【００１１】
請求項２記載のデータ通信装置は、伝送レーン数に応じた所定のパラレルデータを生成して出力するデータ発生部１６と、
前記各伝送レーンを介して入力した前記データ発生部からの前記パラレルデータを多重化したシリアルデータを、基準クロック信号に従って送信するデータ多重化部１７と、
前記基準クロック信号を所定の分周比で分周した分周クロック信号をＩ／Ｑ変調して所定の位相角に角度調整し出力するＩＱ変調部１２と、
前記伝送レーンのレーン数に対応して複数設けられ、前記ＩＱ変調部から出力された角度調整後の分周クロック信号に基づき前記データ発生部から出力される前記パラレルデータのスキュー合わせを行う遅延回路部１４と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部１８と、
を備えたデータ通信装置において、
装置内部で検出した温度情報を装置内温度Ｔとして出力する温度検出部１５を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とする。
【００１２】
請求項３記載のデータ通信装置は、受信したシリアルデータを伝送レーン数に分離したパラレルデータを基準クロック信号に従って出力するデータ分離部１９と、
前記データ分離部からの前記パラレルデータを前記伝送レーンを介して入力するデータ受信部２０と、
前記基準クロック信号を所定の分周比で分周した分周クロック信号をＩ／Ｑ変調して所定の位相角に角度調整し出力するＩＱ変調部１２と、
前記伝送レーンのレーン数に対応して複数設けられ、前記ＩＱ変調部から出力された角度調整後の分周クロック信号に基づき前記データ受信部が入力する前記パラレルデータのスキュー合わせを行う遅延回路部１４と、
前記ＩＱ変調部によるＩ／Ｑ変調前の前記分周クロック信号とＩ／Ｑ変調後の前記分周クロック信号との位相差に応じて前記ＩＱ変調部の位相角調整制御を行う制御部１８と、
を備えたデータ通信装置において、
装置内部で検出した温度情報を装置内温度Ｔとして出力する温度検出部１５を備え、
前記制御部は、前記温度検出部で検出された前記装置内温度Ｔと予め設定された基準温度Ｔ１とを差分した差分温度値と、前記シリアルデータのビットレート値Ｂと、装置の動作補償温度における最小温度、中間温度、最大温度のときに前記温度検出部でそれぞれ検出された前記温度情報の温度において前記遅延回路部を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記ＩＱ変調部から出力される前記分周クロック信号の角度調整制御を行うことを特徴とする。
【００１３】
請求項４記載のデータ通信方法は、伝送レーン数に応じた所定のパラレルデータの生成及び受信を行うステップと、
基準クロック信号に従って、前記パラレルデータを多重化したシリアルデータを送信するとともに、受信したシリアルデータを前記伝送レーン数に分離したパラレルデータにして出力するステップと、
前記基準クロック信号を所定の分周比で分周した分周クロック信号をＩ／Ｑ変調して所定の位相角に角度調整し出力するステップと、
角度調整後の前記分周クロック信号を用いて、前記多重化される前記パラレルデータの入力時及び前記シリアルデータを分離した前記パラレルデータの出力時のスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とする。
【００１４】
請求項５記載のデータ通信方法は、伝送レーン数に応じた所定のパラレルデータの生成して出力するステップと、
前記伝送レーンを介して入力した前記パラレルデータを多重化したシリアルデータを、基準クロック信号に従って送信するステップと、
前記基準クロック信号を所定の分周比で分周した分周クロック信号をＩ／Ｑ変調して所定の位相角に角度調整し出力するステップと、
角度調整後の前記分周クロック信号を用いて、前記多重化される前記パラレルデータのスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とする。
【００１５】
請求項６記載のデータ通信方法は、受信したシリアルデータを伝送レーン数に分離したパラレルデータを基準クロック信号に従って出力するステップと、
前記パラレルデータを前記伝送レーンを介して入力するステップと、
前記基準クロック信号を所定の分周比で分周した分周クロック信号をＩ／Ｑ変調して所定の位相角に角度調整し出力するステップと、
角度調整後の前記分周クロック信号を用いて、前記入力する前記パラレルデータのスキュー合わせを前記伝送レーン毎に行うステップと、
Ｉ／Ｑ変調前の前記分周クロック信号とＩ／Ｑ変調後の前記分周クロック信号との位相差に応じて位相角調整制御を行うステップと、
を含むデータ通信方法において、
装置内で検出した温度情報を装置内温度Ｔとして出力するステップと、
前記装置内温度Ｔと予め設定された基準温度Ｔ１とを差分した差分温度値と、前記シリアルデータのビットレート値Ｂと、装置の動作補償温度における最小温度、中間温度、最大温度のときにそれぞれ検出された前記温度情報の温度において遅延回路部（１４）を変化させてエラーが入る２ポイントの中心値を１６進法で設定した第１のセンター設定値と該第１のセンター設定値の１０進値である第２センター設定値と前記中間温度における前記第２のセンター設定値に対する前記最小温度及び前記最大温度における前記第２のセンター設定値の差分を示すずれＴａｐ数と該ずれＴａｐ数のずれ量をｐｓに換算したｐｓ換算値とから得られる前記遅延回路部の遅延ずれ補正値となる温度特性係数αと、前記基準クロック信号を所定の分周比で分周した分周クロック信号における３６０°をｍＵＩ換算したｍＵＩ換算値Ｃとから、前記遅延回路部の遅延ずれ量を補正するための角度Ａを算出し、この角度Ａに基づく角度情報である温度補正用位相角調整情報に従って前記Ｉ／Ｑ変調前の分周クロック信号の角度調整を行うステップと、
を含むことを特徴とする。
【発明の効果】
【００１６】
本発明によれば、温度変化により生じる遅延ずれ量の補正が困難な遅延回路部の代わりに、ＩＱ変調部の位相角を調整することで遅延回路部の遅延ずれ量が相殺され、送信用形態におけるデータ発生部からデータ多重化部に出力されるパラレルデータ及び受信用形態におけるデータ分離部からデータ受信部に出力されるパラレルデータのスキュー合わせを容易に行うことができる。
【図面の簡単な説明】
【００１７】
【図１】本発明に係るデータ通信装置における送信用形態のシステム構成を示す概略ブロック図である。
【図２】本発明に係るデータ通信装置における送信用形態のシステム構成を示す概略ブロック図である。
【図３】従来のパルスパターン発生器のシステム構成を示す概略ブロック図である。
【発明を実施するための形態】
【００１８】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００１９】
本発明のデータ通信装置は、例えば被試験デバイスの評価試験を行う誤り率測定装置に搭載される基準データの信号を被試験デバイスに送信するパルスパターン発生器（Pulse Pattern Generator ：ＰＰＧ）の信号送信部や、被試験デバイスに送信した基準データの信号を再度受信してこの信号におけるビット誤りを検出するエラー検出器（Error Detector：ＥＤ）の信号受信部として機能する。
【００２０】
そして、本装置では、装置内の温度変化によって駆動能力が可変した遅延回路部の遅延ずれ量［ｐｓ］を、送信又は受信するシリアルデータのビットレート値Ｂに応じた角度［°］に換算してＩＱ変調部の位相角を調整することで、遅延ずれ量の補正が困難な遅延回路部を補正することなく、クロック信号と出力データとの位相関係が変わらぬように装置性能の安定化を図っている。
【００２１】
なお、以下の説明では、説明の便宜上、本装置の機能として例えば被試験デバイスに対するデータ送信を行うための構成要件を「送信用形態」とし、例えば被試験デバイスからのデータ受信を行うための構成要件を「受信用形態」として機能分けして説明する。
［送信用形態について］
まず、本発明に係るデータ通信装置１の送信用形態について説明する。本形態は、例えば誤り率測定装置におけるパルスパターン発生部の信号送信部として搭載することができる。
【００２２】
図１に示すように、本例のデータ通信装置１における送信用形態は、分周部１１と、ＩＱ変調部１２と、位相比較部１３と、遅延回路部１４と、温度検出部１５と、データ発生部１６と、データ多重化部１７と、制御部１８とを備えて構成されている。
【００２３】
分周部１１は、外部又は内部で生成された所定周波数の基準クロック信号の周期を１／Ｎ分周（Ｎは自然数）する分周回路で構成され、入力する基準クロック信号を１／Ｎ分周した分周クロック信号をＩＱ変調部１２に出力している。
【００２４】
ＩＱ変調部１２は、分周部１１で分周された分周クロック信号に対してＩ／Ｑ変調するＩＱ変調器で構成され、制御部１８からの位相角調整情報に従って、分周部１１からの分周クロック信号の位相角を調整し、この調整したクロック信号を位相比較部１３と遅延回路部１４にそれぞれ出力している。また、ＩＱ変調部１２は、制御部１８からの温度補正用位相角調整情報を入力すると、その情報に応じた位相角にするため分周クロック信号の角度調整を行って適切な遅延量となるように調整している。
【００２５】
位相比較部１３は、分周部１１で分周された分周クロック信号と、ＩＱ変調部１２からのクロック信号との位相差を比較する位相比較器で構成され、分周部１１からの分周クロック信号と、データ多重化部１７に入力されるパラレルデータに見立てたＩＱ変調部１２からのクロック信号との位相を比較し、その位相差に応じた電圧値を位相比較情報として制御部１８に出力している。
【００２６】
遅延回路部１４は、電気的に数ピコｓｅｃ単位のスイッチングを行ってクロック信号の遅延量を調整する遅延素子（ゲートディレイ）が多段に接続された温度依存性を有する遅延回路で構成されている。遅延回路部１４は、データ発生部１６から出力されるパラレルデータの伝送レーン数に対応する数だけ具備され、データ発生部１６から出力されるパラレルデータがデータ多重化部１７に出力される各データのスキューを合わせるために遅延量を適宜調整している。
【００２７】
温度検出部１５は、例えば測温抵抗体等の各種温度センサで構成され、装置内部の所定箇所（好ましくは、遅延回路部１４近傍）の装置内温度Ｔを所定の検出タイミングで検出し、検出した装置内温度Ｔを示す温度情報を制御部１８に出力している。
【００２８】
データ発生部１６は、部分コンフィグレーションが可能な１つのＦＰＧＡ（Field Programmable Gate Array ）上に設けられ、予め設定された所定のパルスパターンのデータを所定数のパラレルデータとして生成してデータ多重化部１７に出力している。
【００２９】
データ多重化部１７は、入力する複数のパラレルデータを多重化してシリアルデータにする例えばマルチプレクサ（ＭＵＸ）やＤ型フリップフロップ回路等で構成され、データ発生部１６からのパラレルデータを多重化したシリアルデータを基準クロック信号のタイミングに合わせて出力先に送信する。
【００３０】
制御部１８は、ＣＰＵやＲＯＭ，ＲＡＭ等のマイクロコンピュータで構成され、データ通信装置１を構成する各部の駆動制御を行う。具体的な制御内容として、制御部１８は、位相比較部１３からの位相差を示す位相比較情報を入力すると、その電圧値に応じた位相角調整による遅延処理を行うための位相角調整情報をＩＱ変調部１２に出力している。また、制御部１８は、データ多重化部１７に入力されるパラレルデータのスキューを合わせるための遅延処理情報を遅延回路部１４に出力している。
【００３１】
さらに、制御部１８は、環境温度によって温度依存性を有する遅延回路部１４で生じた遅延量の誤差をＩＱ変調部１２の位相角調整により相殺してデータ多重化部１７が入力するパラレルデータのスキューを合わせるため、温度検出部１５からの温度情報（装置内温度Ｔ）と、装置動作情報である送信されるシリアルデータのビットレート値Ｂと、予め設定された基準温度Ｔ１及び温度特性係数αとから、遅延回路部１４で生じた温度変化に起因する遅延ずれ量［ｐｓ］を角度［°］に換算した温度補正用位相角調整情報をＩＱ変調部１２に出力している。
【００３２】
なお、温度補正用位相角調整情報の演算タイミングとしては、温度検出部１５で検出した温度が所定温度（例えば１℃）変化する毎に行う構成、又は所定タイミングで演算処理を行う構成の何れでもよい。
【００３３】
ここで、温度検出部１５で検出された温度情報によるＩＱ変調部１２の位相角調整制御について説明する。なお、制御部１８は、例えばＲＯＮ，ＲＡＭ等の半導体メモリで構成される記憶部１８ａを備え、予め設定された基準温度Ｔ１、温度特性係数α、温度補正用位相角調整情報を算出するための演算処理プログラム等を記憶している。
【００３４】
基準温度Ｔ１とは、外気温度が装置の動作保証温度内において温度変化により生じた遅延回路部１４の遅延ずれ量を補正する際の基準となる装置内の温度（すなわち、遅延回路部１４で生じた遅延ずれ量を補正するにあたり、ＩＱ変調部１２の位相角調整が「０°」となる装置内の温度）である。例えば、動作保証温度が１０〜４０℃である場合は、中間温度である２５℃で駆動したときの装置内の温度を基準温度Ｔ１とする。
【００３５】
また、温度特性係数αは、装置の動作保証温度（１０〜４０℃）となる装置の外気温度が１０℃、２５℃、４０℃のときに温度検出部１５で検出された「温度情報」の温度においてデータ発生部１６から出力されるパラレルデータの位相を最適とするため遅延回路部１４を変化させてエラーが入る２ポイントの中心にとするための最適値をＨＥＸ（１６進法）にて設定した値（１変化量を５ｐｓとする）である「センター設定値（ＨＥＸ）」と、このセンター設定値（ＨＥＸ）の１０進値である「センター設定値（１０進）」と、このセンター設定値（１０進）において外気温度が２５℃のときを０とした場合に１０℃と４０℃の最適値が２５℃の最適値からどの程度ずれているかを示す「ずれＴａｐ数」と、このずれＴａｐ数のずれ量をｐｓに換算した「ｐｓ換算値」とから得られる平均値であり、温度が１℃変化したときに必要な遅延回路部１４の遅延ずれ補正値［ｐｓ］である。
【００３６】
なお、遅延回路部１４における遅延ずれ量は、動作保証温度内で駆動した場合に温度と位相との関係が直線状に遷移する傾向にあるため、温度検出部１５で検出された装置内温度Ｔと温度特性係数αとから遅延回路部１４の遅延ずれ量を算出することができる。
【００３７】
続いて、制御部１８によるＩＱ変調部１２の位相角調整処理について説明する。
【００３８】
制御部１８は、温度検出部１５で検出した温度情報が入力されると、ＩＱ変調部１２の傾きをどの程度調整すれば検出された装置内温度Ｔによって生じた遅延回路部１４の遅延ずれ量の補正が可能であるかを、記憶部１８ａに記憶される下記の演算処理プログラムに則って演算処理を行っている。
＜処理１＞
まず、下記式１を用いて、温度検出部１５で検出された装置内温度Ｔから基準温度Ｔ１を差分した差分温度値と、温度特性係数αとを掛け合わせて傾きによる遅延ずれ量Ｓ１［ｐｓ］を算出する。
【００３９】
式１：Ｓ１＝（Ｔ−Ｔ１）×α
＜処理２＞
次に、下記式２を用いて、得られた遅延ずれ量Ｓ１［ｐｓ］をｍＵＩに変換するため、装置動作情報である送信されるシリアルデータのビットレート値Ｂを掛け合わせる。
【００４０】
式２：Ｓ２＝Ｓ１×Ｂ
＜処理３＞
最後に、下記式３を用いて、上記式２で変換された遅延ずれ量Ｓ２［ｍＵＩ］と、分周された分周クロック信号における３６０°をｍＵＩ換算したｍＵＩ換算値ＣとからＩＱ変調部１２で位相角調整を行うための角度Ａ［°］に変換する。
【００４１】
式３：Ａ＝（Ｓ２／Ｃ）×３６０°
そして、上記式３から得られた角度情報を温度補正用位相角調整情報としてＩＱ変調部１２に出力している。これにより、ＩＱ変調部１２は、入力した温度補正用位相角調整情報に従って分周クロック信号の位相角を調整し、温度変化によって生じた遅延回路部１４の遅延ずれ量を相殺することができる。
【００４２】
そして、上記形態のデータ通信装置１では、温度検出部１５で検出された温度情報が制御部１８に入力されると、装置動作情報である送信されるシリアルデータのビットレート値Ｂと、記憶部１８ａに記憶される演算処理プログラムに従ってＩＱ変調部１２の温度補正用位相角調整情報を算出する。算出した後、制御部１８は、演算処理プログラムに従って得られたＩＱ変調部１２の位相角を調整するための温度補正用位相角調整情報をＩＱ変調部１２に出力する。そして、ＩＱ変調部１２は、制御部１８からの温度補正用位相各調整情報に従って分周クロック信号の位相角を調整して遅延量を調整し、温度変化によって生じた遅延回路部１４の遅延ずれ量を相殺することで、データ多重化部１７が入力するパラレルデータのスキュー合わせをする。
【００４３】
このように、本形態では、温度検出部１５からの温度情報（装置内温度Ｔ）と、装置動作情報である送信されるシリアルデータのビットレート値Ｂと、予め設定された基準温度Ｔ１及び温度特性係数αとから、温度変化によって生じた遅延回路部１４の遅延ずれ量に相当する位相調整するための角度Ａを算出し、この算出した角度Ａを温度補正用位相角調整情報としてＩＱ変調部１２に出力する。そして、ＩＱ変調部１２は、入力した温度補正用位相角調整情報に応じて位相角調整をすることで、遅延回路部１４の遅延ずれ量の補正をすることなく、データ多重化部１７がデータ発生部１６から受信するパラレルデータのスキュー合わせをすることができる。
［受信用形態］
次に、本発明に係るデータ通信装置１の受信形態について説明する。本形態は、例えば誤り率測定装置におけるエラー検出器のデータ受信部として搭載することができる。
【００４４】
なお、上述した送信形態に含まれる構成については同一符号を付してその説明を省略し、本形態の特徴となる新たな構成要件についてのみを説明する。
【００４５】
図２に示すように、本例のデータ通信装置１における受信用形態は、分周部１１と、ＩＱ変調部１２と、位相比較部１３と、遅延回路部１４と、温度検出部１５と、データ分離部１９と、データ受信部２０と、制御部１８とを備えて構成されている。
【００４６】
データ受信部２０は、部分コンフィグレーションが可能な１つのＦＰＧＡ（Field Programmable Gate Array ）上に設けられ、データ分離部１９との間に接続される各伝送レーンを介して出力されるパラレルデータを遅延回路部１４からのクロック信号に合わせて入力し、これら各データを出力先に出力している。
【００４７】
データ分離部１９は、例えば入力するシリアルデータをパラレルデータに分離するデマルチプレクサ（ＤＥＭＵＸ）で構成され、入力したシリアルデータをデータ受信部２０との間に接続されるレーン数となるように分離してデータ受信部２０に出力している。
【００４８】
また、制御部１８は、環境温度によって温度依存性を有する遅延回路部１４に遅延量の誤差を補正してデータ分離部１９で分離され出力されたパラレルデータをデータ受信部２０が受信する際のスキューを合わせるため、温度検出部１５からの温度情報と、装置動作情報である受信するシリアルデータのビットレート値Ｂと、予め設定された温度特性係数αとから、遅延回路部１４で生じた温度変化に起因する遅延ずれ量を角度Ａに換算した温度補正用位相角調整情報をＩＱ変調部１２に出力している。
【００４９】
なお、制御部１８による温度補正用位相角調整情報を取得するための演算処理に関しては、上述した送信用形態における演算処理と同様であるため、その説明を省略する。
【００５０】
そして、上記形態のデータ通信装置１では、制御部１８は、温度検出部１５で検出された温度情報が入力されると、装置動作情報である受信するシリアルデータのビットレート値Ｂと、記憶部１８ａに記憶される演算処理プログラムに従ってＩＱ変調部１２の温度補正用位相角調整情報を算出する。算出した後、制御部１８は、演算処理プログラムに従って得られたＩＱ変調部１２の位相角を調整するための温度補正用位相角調整情報をＩＱ変調部１２に出力する。そして、ＩＱ変調部１２は、制御部１８からの温度補正用位相各調整情報に従って分周クロック信号の位相角を調整して遅延量を調整し、温度変化によって生じた遅延回路部１４の遅延ずれ量を相殺することで、データ受信部２０が入力するパラレルデータのスキュー合わせをする。
【００５１】
このように、本形態では、温度検出部１５からの温度情報（装置内温度Ｔ）と、装置動作情報である送信されるシリアルデータのビットレート値Ｂと、予め設定された基準温度Ｔ１及び温度特性係数αとから、温度変化によって生じた遅延回路部１４の遅延ずれ量に相当する位相角を算出し、この算出した角度Ａを温度補正用位相角調整情報としてＩＱ変調部１２に出力する。そして、ＩＱ変調部１２は、入力した温度補正用位相角調整情報に応じて位相角調整をすることで、遅延回路部１４の遅延ずれ量の補正をすることなく、データ受信部２０がデータ分離部１９から受信するパラレルデータのスキュー合わせをすることができる
［実施例］
次に、上述した各形態のデータ通信装置１において環境温度の変化により生じた遅延回路部１４の遅延ずれ量を補正する際の処理動作例について説明する。
【００５２】
ここでは、ＩＱ変調部１２の傾き調整例として、基準クロック信号を「１６ＧＨｚ」、分周比は「１６」、温度特性係数αを「−６」、基準温度Ｔ１を「５８℃」、温度検出部１５で検出された装置内温度Ｔを「６０℃」のときに、装置動作情報である送信時又は受信時のシリアルデータのビットレート値Ｂが「３０Ｇｂｐｓ」のときの傾き補正例と、「１０Ｇｂｐｓ」のときの傾き補正例について説明する。
（実施例１：３０Ｇｂｐｓの際の処理例）
制御部１８は、温度検出部１５で検出された温度情報が入力されると、記憶部１８ａに記憶される演算処理プログラムに従ってＩＱ変調部１２の温度補正用位相角調整情報を算出する。また、ＩＱ変調部１２は、１／１６分周されたクロック信号で動作し、３６０°は１６０００［ｍＵＩ］に相当する。
＜処理１＞
（６０−５８）×−６＝−１２［ｐｓ］
＜処理２＞
−１２×３０＝−３６０［ｍＵＩ］
＜処理３＞
（−３６０／１６０００）×３６０＝−８．１［°］
制御部１８は、上記各処理によって得られた角度Ａ「−８．１°」でＩＱ変調部１２の位相角を調整するための温度補正用位相角調整情報をＩＱ変調部１２に出力する。そして、ＩＱ変調部１２は、制御部１８からの温度補正用位相各調整情報に従って分周クロック信号の位相角を調整して遅延量を調整し、温度変化によって生じた遅延回路部１４の遅延ずれ量を相殺する。
（実施例２：１０Ｇｂｐｓの際の処理例）
制御部１８は、温度検出部１５で検出された温度情報が入力されると、記憶部１８ａに記憶される演算処理プログラムに従ってＩＱ変調部１２の温度補正用位相角調整情報を算出する。また、ＩＱ変調部１２は、１／１６分周されたクロック信号で動作し、３６０°は１６０００ｍＵＩに相当する。
＜処理１＞
（６０−５８）×−６＝−１２［ｐｓ］
＜処理２＞
−１２×１０＝−１２０［ｍＵＩ］
＜処理３＞
（−１２０／１６０００）×３６０＝−２．７［°］
制御部１８は、上記各処理によって得られた角度Ａ「−２．７°」でＩＱ変調部１２の位相角を調整するための温度補正用位相角調整情報をＩＱ変調部１２に出力する。そして、ＩＱ変調部１２は、制御部１８からの温度補正用位相各調整情報に従って分周クロック信号の位相角を調整して遅延量を調整し、温度変化によって生じた遅延回路部１４の遅延ずれ量を相殺する。
【００５３】
以上説明したように、上述したデータ通信装置１は、温度依存性を有する遅延回路部１４の温度変化による遅延ずれ量を補正するため、温度検出部１５で検出した装置内温度Ｔを検出し、検出した装置内温度Ｔと予め設定された基準温度Ｔ１との差分温度値と、送信又は受信するシリアルデータのビットレート値Ｂと、予め設定された温度特性係数αとからＩＱ変調部１２の位相角を調整するための温度補正用位相角調整情報を算出する。そして、算出した温度補正用位相角調整情報をＩＱ変調部１２に出力し、分周クロック信号の位相角を調整して、温度変化によって生じた遅延回路部１４の遅延ずれ量を相殺している。
【００５４】
これにより、温度変化により生じる遅延ずれ量の補正が困難な遅延回路部１４の代わりに、ＩＱ変調部１２の位相角を調整することで遅延回路部１４の遅延ずれ量が相殺され、送信用形態におけるデータ発生部１６からデータ多重化部１７に出力されるパラレルデータ及び受信用形態におけるデータ分離部１９からデータ受信部２０に出力されるパラレルデータのスキュー合わせを容易に行うことができる。
【００５５】
なお、上述した説明では、本装置の機能として送信用形態と受信用形態として分けて説明したが、これらの機能を兼備した装置構成とすることもできる。すなわち、図１、２に示すように、データ発生部１６とデータ受信部２０とで「データ処理部２１」を構成し、データ多重化部１７とデータ分離部１９とで「データ送受信部２２」を構成することにより、例えば誤り率測定装置において所定の試験信号を被試験デバイスに送信する「信号送信部」及び被試験デバイスからの信号を受信する「信号受信部」の両機能を備えたデータ通信装置として搭載することができる。
【００５６】
また、上記各形態では、基準クロック信号を分周部１１で１／Ｎ分周する構成例で説明したが、これに限定されることはなく、例えば基準クロック信号をデータ多重化部１７又はデータ分離部１９に入力し、予め所定の分周比で分周された分周クロック信号をＩＱ変調部１２に入力するような構成としてもよい。
【符号の説明】
【００５７】
１…データ通信装置
１１…分周部
１２…ＩＱ変調部
１３…位相比較部
１４…遅延回路部
１５…温度検出部
１６…データ発生部
１７…データ多重化部
１８…制御部（１８ａ…記憶部）
１９…データ分離部
２０…データ受信部
２１…データ処理部
２２…データ送受信部
【図１】
0005596097.tif 000002
【図２】
0005596097.tif 000003
【図３】
0005596097.tif 000004